(57)【要約】【課題】摩耗補償機構を備えたクラッチカバー組立体において、設計の自由度を高める【解決手段】クラッチカバー組立体１は、クラッチカバー２と、プレッシャープレート３と、ダイヤフラムスプリング４と、第１摩耗補償機構９とを備えている。第１摩耗補償機構９は、プレッシャープレート３と当接可能に配置された環状の第１アジャストリング９１と、第１アジャストリング９１と相対回転することで軸方向に相対移動可能な環状の第２アジャストリング９２と、第１アジャストリング９１および第２アジャストリング９２を回転方向に弾性的に連結するリターンスプリング９０とを有している。第１アジャストスプリング９１および第２アジャストスプリング９２の回転軸を含む平面における断面は略環状である。【選択図】図１
2007198435.tif 000002
【特許請求の範囲】
【請求項１】
エンジンのフライホイールにクラッチディスク組立体の摩擦部材を押し付け及び押し付け解除するためのクラッチカバー組立体であって、
前記フライホイールに固定されたクラッチカバーと、
前記クラッチカバーに対して相対回転不能に連結され、前記フライホイールとの間で前記摩擦部材を挟むためのプレッシャープレートと、
前記クラッチカバーに支持され、前記プレッシャープレートを前記フライホイール側に付勢するダイヤフラムスプリングと、
前記プレッシャープレートの押圧面と反対側に装着され、前記摩擦部材の摩耗に対して前記ダイヤフラムスプリングの姿勢を維持するための摩耗補償機構とを備え、
前記摩耗補償機構は、前記プレッシャープレートに当接可能に配置された環状の第１部材と、前記第１部材の前記摩擦部材と反対側に前記ダイヤフラムスプリングと当接可能に配置され、前記第１部材と相対回転することで軸方向に相対移動可能な環状の第２部材と、前記第１部材および第２部材を回転方向に弾性的に連結する調整用弾性部材とを有し、
前記第１部材および第２部材の回転軸を含む平面における断面は、略環状である、
クラッチカバー組立体。
【請求項２】
前記第１部材は、回転軸を含む平面における断面が前記摩擦部材と反対側に開いた略Ｕ字形状を有しており、
前記第２部材は、回転軸を含む平面における断面が前記摩擦部材側に開いた略Ｕ字形状を有している、
請求項１に記載のクラッチカバー組立体。
【請求項３】
前記第１部材は、前記プレッシャープレートに軸方向に当接する環状の第１当接部と、前記第１当接部の内周部および外周部から軸方向へ延びるように形成され回転方向に傾斜している複数の第１テーパ面を有する１対の第１摺動部とを有し、
前記第２部材は、前記ダイヤフラムスプリングに軸方向に当接可能に配置された環状の第２当接部と、前記第２当接部の内周部および外周部から軸方向へ延びるように形成され前記複数の第１テーパ面に当接する複数の第２テーパ面を有する１対の第２摺動部を有している、
請求項１または２に記載のクラッチカバー組立体。
【請求項４】
前記第１部材は、前記第１当接部から内周側または外周側に突出し、前記プレッシャープレートに係合する複数の第１突起部をさらに有している、
請求項３に記載のクラッチカバー組立体。
【請求項５】
前記第２部材は、前記第２当接部から内周側または外周側に突出し、前記プレッシャープレートと摺動可能な複数の第２突起部をさらに有している、
請求項３または４に記載のクラッチカバー組立体。
【請求項６】
前記第１突起部は、前記摩擦部材側と反対側に延びており、
前記第２突起部は、前記第１突起部と回転方向に当接可能に前記摩擦部材側に延びている、
請求項５に記載のクラッチカバー組立体。
【請求項７】
前記調整用弾性部材は、前記第１部材および第２部材により形成された空間に配置されている、
請求項１〜６のいずれかに記載のクラッチカバー組立体。
【請求項８】
エンジンのフライホイールにクラッチディスク組立体の摩擦部材を押し付け及び押し付け解除するためのクラッチカバー組立体であって、
前記フライホイールに固定されたクラッチカバーと、
前記クラッチカバーに対して相対回転不能に連結され、前記フライホイールとの間で前記摩擦部材を挟むためのプレッシャープレートと、
前記クラッチカバーに支持され、前記プレッシャープレートを前記フライホイール側に付勢するダイヤフラムスプリングと、
前記プレッシャープレートの押圧面と反対側に装着され、前記摩擦部材の摩耗に対して前記ダイヤフラムスプリングの姿勢を維持するための摩耗補償機構とを備え、
前記摩耗補償機構は、前記プレッシャープレートに当接可能に配置された環状の第１部材と、前記第１部材の前記摩擦部材と反対側に前記ダイヤフラムスプリングと当接可能に配置され、前記第１部材と相対回転することで軸方向に相対移動可能な環状の第２部材と、前記第１部材および第２部材を回転方向に弾性的に連結する調整用弾性部材とを有し、
前記第１部材は、内周側または外周側に突出し前記プレッシャープレートに係合する複数の第１突起部を有している、
クラッチカバー組立体。
【請求項９】
前記第２部材は、内周側または外周側に突出し前記プレッシャープレートに係合する複数の第２突起部をさらに有している、
請求項８に記載のクラッチカバー組立体。
【請求項１０】
エンジンのフライホイールにクラッチディスク組立体の摩擦部材を押し付け及び押し付け解除するためのクラッチカバー組立体であって、
前記フライホイールに固定されたクラッチカバーと、
前記クラッチカバーに対して相対回転不能に連結され、前記フライホイールとの間で前記摩擦部材を挟むためのプレッシャープレートと、
前記クラッチカバーに支持され、前記プレッシャープレートを前記フライホイール側に付勢するダイヤフラムスプリングと、
前記プレッシャープレートの押圧面と反対側に装着され、前記摩擦部材の摩耗に対して前記ダイヤフラムスプリングの姿勢を維持するための摩耗補償機構とを備え、
前記摩耗補償機構は、前記プレッシャープレートと当接可能に配置された環状の第１部材と、前記第１部材の前記摩擦部材と反対側に前記ダイヤフラムスプリングと当接可能に配置され、前記第１部材と相対回転することで軸方向に相対移動可能な環状の第２部材と、前記第１部材および第２部材を回転方向に弾性的に連結する調整用弾性部材とを有し、
前記第２部材は、内周側または外周側に突出し前記プレッシャープレートに係合する複数の第２突起部を有している、
クラッチカバー組立体。
【請求項１１】
前記第１部材および第２部材の回転軸を含む平面における断面は、略環状である、
請求項８〜１０のいずれかに記載のクラッチカバー組立体。
【請求項１２】
前記第１部材は、回転軸を含む平面における断面が前記摩擦部材と反対側に開いた略Ｕ字形状を有しており、
前記第２部材は、回転軸を含む平面における断面が前記摩擦部材側に開いた略Ｕ字形状を有している、
請求項８〜１１のいずれかに記載のクラッチカバー組立体。
【請求項１３】
前記第１部材は、前記プレッシャープレートに軸方向に当接する環状の第１当接部と、前記第１当接部の内周部および外周部から軸方向へ延びるように形成され回転方向に傾斜している複数の第１テーパ面を有する１対の第１摺動部とを有し、
前記第２部材は、前記ダイヤフラムスプリングに軸方向に当接可能に配置された環状の第２当接部と、前記第２当接部の内周部および外周部から軸方向へ延びるように形成され前記複数の第１テーパ面に当接する複数の第２テーパ面を有する１対の第２摺動部を有している、
請求項８〜１２のいずれかに記載のクラッチカバー組立体。
【請求項１４】
前記第１突起部は、前記第１当接部の内周部または外周部に形成されている、
請求項１３に記載のクラッチカバー組立体。
【請求項１５】
前記第２突起部は、前記第２当接部の内周部または外周部に形成されている、
請求項１３または１４に記載のクラッチカバー組立体。
【請求項１６】
前記第１突起部は、前記摩擦部材側と反対側に延びており、
前記第２突起部は、前記第１突起部と回転方向に当接可能に前記摩擦部材側に延びている、
請求項９〜１５のいずれかに記載のクラッチカバー組立体。
【発明の詳細な説明】
【技術分野】
【０００１】
本発明は、クラッチカバー組立体、特に、エンジンのフライホイールにクラッチディス組立体の摩擦部材を押し付けおよび押し付け解除するためのものに関する。
【背景技術】
【０００２】
クラッチカバー組立体は、一般に、エンジンのフライホイールに装着され、エンジンの駆動力をトランスミッション側に伝達するために用いられている。このようなクラッチカバー組立体は、主に、フライホイールに固定されるクラッチカバーと、フライホイールとの間でクラッチディスク組立体の摩擦部材を挟持するためのプレッシャープレートと、プレッシャープレートをフライホイール側に押圧するためのダイヤフラムスプリングとから構成されている。ダイヤフラムスプリングは、環状弾性部と、環状弾性部の内周縁から径方向内側に延びる複数のレバー部とからなる。ダイヤフラムスプリングは、プレッシャープレートを押圧する機能とともに、プレッシャープレートへの押圧を解除するためのレバー機能も有している。
【０００３】
クラッチカバー組立体の押付荷重特性を説明する。押付荷重特性とは、ダイヤフラムスプリングの荷重特性において押付荷重としての使用領域を表すものである。例えば図１１に示すように、押付荷重特性２０において、クラッチカバー組立体の有効使用領域（摩耗代）は、一定の押付荷重が得られる領域（新品のセットライン２５から、摩擦部材が摩耗限界まで達したウェアーライン２６まで）である。
【０００４】
次に、クラッチカバー組立体のレリーズ荷重特性について説明する。レリーズ荷重特性とは、レリーズレバーの作動量（レバーストローク量）と、レリーズレバー先端に作用する荷重（レリーズ荷重）の関係を表すものである。例えば、図１４に示すように、レリーズ荷重特性６０は、レバー作動量ゼロから直線的に増大していく第１部分６１と、なだらかに小さくなっていく第２部分６２とを有しており、両者の接点がピークである荷重バランス点６３となっている。第１部分６１はダイヤフラムスプリングのレバー剛性を表しており、第２部分６２は押付荷重特性におけるセットラインから図右側への変化に対応している。
【０００５】
押付荷重特性２０は、図１１に示すように、ダイヤフラムスプリングの変位量がゼロから大きくなるにつれて、一定の割合で増大していくが、たわみ量がある点（ピーク点）を越えると以後はなだらかに減少していき、さらにあるたわみ量を超えるとなだらかに増大していく。このため、有効使用領域内では、山部分２１（上側に凸となる部分）となっており、摩擦部材の摩耗が大きくなるにつれて（セットラインが図の左側に移動するにつれて）押付荷重が大きくなる。すなわち、摩擦部材が摩耗すると、レリーズ荷重が大きくなり、さらにはクラッチペダル踏力が大きくなってしまう。
【０００６】
そこで従来より、摩擦部材が摩耗した場合にダイヤフラムスプリングの姿勢を初期状態に戻すことで、押付荷重特性においてセットラインを一定に維持するための摩耗補償機構が用いられている（例えば、特許文献１を参照。）。摩耗補償機構は、主に、クラッチカバーとダイヤフラムスプリングとの間に配置されたファルクラムリングと、ファルクラムリングをプレッシャープレートから離れる方向に付勢する付勢機構と、ファルクラムリングがプレッシャープレートから離れるのを防ぐとともに摩擦フェーシングに摩耗が生じた場合に摩耗量だけファルクラムリングがプレッシャープレートから軸方向に移動するのを許容する規制機構とを有している。
【特許文献１】特開平１０−２２７３１７号公報
【発明の開示】
【発明が解決しようとする課題】
【０００７】
特許文献１に記載の摩耗補償機構は、プレッシャープレート８２の内周部に装着されており、環状の第１サポートプレート３１および第２サポートプレート３２と、リターンスプリング３３を有している（特許文献１の図２を参照）。第１サポートプレート３１および第２サポートプレート３２は、プレッシャープレート８２に対して相対回転可能に挿嵌されており、回転方向へ傾斜したテーパ状の第１傾斜面３１ａおよび第２傾斜面３２ａを有している（特許文献１の図７および図８を参照）。第１サポートプレート３１および第２サポートプレート３２は、リターンスプリング３３により回転方向に弾性的に連結されている。そして、第１サポートプレート３１および第２サポートプレート３２が相対回転して第１傾斜面３１ａおよび第２傾斜面３２ａが摺動することで、相対回転が軸方向への相対移動へ変換される。これにより、摩耗量に応じてファルクラムリング２３の軸方向への移動を実現できる。
【０００８】
しかし、ファルクラムリング２３を備えているため、第１サポートプレート３１、第２サポートプレート３２およびリターンスプリング３３の寸法が制限を受ける。このため、摩耗補償機構およびそれを備えたクラッチカバー組立体の設計の自由度が低下する。
【０００９】
また、第１サポートプレート３１および第２サポートプレート３２は板金製であるため、第１傾斜面３１ａおよび第２傾斜面３２ａの寸法精度を確保するために、主要な形状が成形された後に第１傾斜面３１ａおよび第２傾斜面３２ａをプレスして寸法調整を行う必要がある。この結果、第１傾斜面３１ａおよび第２傾斜面３２ａの寸法精度は確保されるが、第１サポートプレート３１および第２サポートプレート３２の外周部の寸法が変化し、さらに外周部の寸法精度を調整する必要が生じる。すなわち、第１および第２サポートプレートの製造コストが増大する。
【００１０】
本発明の課題は、摩耗補償機構を備えたクラッチカバー組立体において、設計の自由度を高めることにある。
【００１１】
本発明の別の課題は、摩耗補償機構を備えたクラッチカバー組立体において、製造コストの低減を図ることにある。
【課題を解決するための手段】
【００１２】
第１の発明としてのクラッチカバー組立体は、エンジンのフライホイールにクラッチディスク組立体の摩擦部材を押し付けおよび押し付け解除するためのクラッチカバー組立体であって、フライホイールに固定されたクラッチカバーと、クラッチカバーに対して相対回転不能に連結され、フライホイールとの間で摩擦部材を挟むためのプレッシャープレートと、クラッチカバーに支持され、プレッシャープレートをフライホイール側に付勢するダイヤフラムスプリングと、プレッシャープレートの押圧面と反対側に装着され、摩擦部材の摩耗に対してダイヤフラムスプリングの姿勢を維持するための摩耗補償機構とを備えている。摩耗補償機構は、プレッシャープレートと当接可能に配置された環状の第１部材と、第１部材の摩擦部材と反対側にダイヤフラムスプリングと当接可能に配置され、第１部材と相対回転することで軸方向に相対移動可能な環状の第２部材と、第１部材および第２部材を回転方向に弾性的に連結する調整用弾性部材とを有している。第１部材および第２部材の回転軸を含む平面における断面は、略環状である。
【００１３】
このクラッチカバー組立体では、第１部材および第２部材の断面が略環状であるため、第１部材および第２部材により形成された空間を有効利用することができる。例えば、第１部材および第２部材により形成された空間内に調整用弾性部材を収容することができる。そして、この空間の形状はほぼ円形となるため、従来よりも大きい調整用弾性部材を配置することができる。また、大きい弾性力を必要としない場合には、調整用弾性部材を小さくすることができ、それに伴い第１部材および第２部材を小型化することができる。このように、このクラッチカバー組立体では、設計の自由度を高めることができる。
【００１４】
第２の発明としてのクラッチカバー組立体は、第１の発明において、第１部材は回転軸を含む平面における断面が摩擦部材と反対側に開いた略Ｕ字形状を有しており、第２部材が回転軸を含む平面における断面が摩擦部材側に開いた略Ｕ字形状を有している。
【００１５】
第３の発明としてのクラッチカバー組立体は、第１または第２の発明において、第１部材は、プレッシャープレートに軸方向に当接する環状の第１当接部と、第１当接部の内周部および外周部から軸方向へ延びるように形成され回転方向に傾斜している複数の第１摺動面を有する１対の第１摺動部とを有している。第２部材は、ダイヤフラムスプリングに軸方向と当接可能に配置された環状の第２当接部と、第２当接部の内周部および外周部から軸方向へ延びるように形成され複数の第１摺動面に当接する複数の第２摺動面を有する１対の第２摺動部を有している。
【００１６】
第４の発明としてのクラッチカバー組立体は、第３の発明において、第１部材は、第１当接部から内周側または外周側に突出し、プレッシャープレートに係合する複数の第１突起部をさらに有している。
【００１７】
ここでは、第１突起部が第１当接部から突出しているため、製造過程において第１摺動部の第１摺動面の寸法精度を向上させるために第１摺動面を押圧し第１部材の形状を調整しても、第１突起部の半径方向の位置がほとんど変化しない。この結果、第１摺動面の寸法精度を調整した後に内径または外径を再度調整する必要がない。これにより、製造工程を短縮することができ、製造コストの低減を図ることができる。
【００１８】
また、第１部材とプレッシャープレートとの摺動面積が小さいため、第１部材とプレッシャープレートとの相対運動がスムーズになる。これにより、摩耗補償機構の応答性が向上するとともに、第１部材とプレッシャープレートとの錆び付きによる摩耗補償機構の動作不良を防止することができる。
【００１９】
第５の発明としてのクラッチカバー組立体は、第３または第４の発明において、第２部材は、第２当接部から内周側または外周側に突出し、プレッシャープレートと摺動可能な複数の第２突起部をさらに有している。
【００２０】
ここでは第４の発明の場合と同様に、製造工程を短縮することができ製造コストの低減を図ることができる。また、第２部材とプレッシャープレートとの摺動面積が小さいため、第２部材とプレッシャープレートとの相対運動がスムーズになる。これにより、摩耗補償機構の応答性が向上するとともに、第２部材とプレッシャープレートとの錆び付きによる摩耗補償機構の動作不良を防止することができる。
【００２１】
第６の発明としてのクラッチカバー組立体は、第５の発明において、第１突起部は、摩擦部材側と反対側に延びており、第２突起部は、第１突起部と回転方向に当接可能に摩擦部材側に延びている。
【００２２】
この場合、例えば、摩擦部材が摩耗により使用限界に達した状態で、第１突起部と第２突起部とが回転方向に当接するように各突起部の位置を決めておく。この結果、摩擦部材が摩耗限界に達すると摩耗補償機構の動作が停止し、さらに摩耗が進行するとクラッチのレリーズ荷重が徐々に大きくなる。これにより、ドライバに摩擦部材が使用限界に達していることを認識させることができ、摩耗補償機構を備えていても摩擦部材の適切な取り替え時期を把握することができる。
【００２３】
第７の発明としてのクラッチカバー組立体は、第１〜第６の発明のいずれかにおいて、調整用弾性部材は、第１部材および第２部材により形成された空間に配置されている。
【００２４】
ここでは、第１部材および第２部材の断面が略環状であり、その略環状の空間に弾性部材が配置されている。このため、内部に大きな空間を形成することができ、弾性部材の寸法が第１部材および第２部材の寸法の制限を受けにくくなる。すなわち、クラッチカバー組立体の設計の自由度を高めることができる。
【００２５】
第８の発明としてのクラッチカバー組立体は、エンジンのフライホイールにクラッチディスク組立体の摩擦部材を押し付けおよび押し付け解除するためのクラッチカバー組立体であって、フライホイールに固定されたクラッチカバーと、クラッチカバーに対して相対回転不能に連結され、フライホイールとの間で摩擦部材を挟むためのプレッシャープレートと、クラッチカバーに支持され、プレッシャープレートをフライホイール側に付勢するダイヤフラムスプリングと、プレッシャープレートの押圧面と反対側に装着され、摩擦部材の摩耗に対してダイヤフラムスプリングの姿勢を維持するための摩耗補償機構とを備えている。摩耗補償機構は、プレッシャープレートに当接可能に配置された環状の第１部材と、第１部材の摩擦部材と反対側にダイヤフラムスプリングと当接可能に配置され、第１部材と相対回転することで軸方向に相対移動可能な環状の第２部材と、第１部材および第２部材を回転方向に弾性的に連結する調整用弾性部材とを有している。第１部材は、内周側または外周側に突出しプレッシャープレートに係合する複数の第１突起部を有している。
【００２６】
このクラッチカバー組立体では、第１突起部が第１当接部から突出しているため、製造過程において第１摺動部の第１摺動面の寸法精度を向上させるために第１摺動面を押圧し第１部材の形状を調整しても、第１突起部の半径方向の位置がほとんど変化しない。この結果、第１摺動面の寸法精度を調整した後に内径または外径を再度調整する必要がない。これにより、製造工程を短縮することができ、製造コストの低減を図ることができる。また、第１部材とプレッシャープレートとの摺動面積が小さいため、第１部材とプレッシャープレートとの相対運動がスムーズになる。これにより、摩耗補償機構の応答性が向上するとともに、第１部材とプレッシャープレートとの錆び付きによる摩耗補償機構の動作不良を防止することができる。
【００２７】
第９の発明としてのクラッチカバー組立体は、第８の発明において、第２部材は、内周側または外周側に突出しプレッシャープレートに係合する複数の第２突起部をさらに有している。
【００２８】
このクラッチカバー組立体では、第２部材とプレッシャープレートとの摺動面積が小さいため、第２部材とプレッシャープレートとの相対運動がスムーズとなる。これにより、摩耗補償機構の応答性が向上するとともに、第２部材とプレッシャープレートとの錆び付きによる摩耗補償機構の動作不良を防止することができる。
【００２９】
第１０の発明としてのクラッチカバー組立体は、エンジンのフライホイールにクラッチディスク組立体の摩擦部材を押し付けおよび押し付け解除するためのクラッチカバー組立体であって、フライホイールに固定されたクラッチカバーと、クラッチカバーに対して相対回転不能に連結され、フライホイールとの間で摩擦部材を挟むためのプレッシャープレートと、クラッチカバーに支持され、プレッシャープレートをフライホイール側に付勢するダイヤフラムスプリングと、プレッシャープレートの押圧面と反対側に装着され、摩擦部材の摩耗に対してダイヤフラムスプリングの姿勢を維持するための摩耗補償機構とを備えている。摩耗補償機構は、プレッシャープレートと当接可能に配置された環状の第１部材と、第１部材の摩擦部材と反対側にダイヤフラムスプリングと当接可能に配置され、第１部材と相対回転することで軸方向に相対移動可能な環状の第２部材と、第１部材および第２部材を回転方向に弾性的に連結する調整用弾性部材とを有している。第２部材は、内周側または外周側に突出しプレッシャープレートに係合する複数の第２突起部を有している。
【００３０】
このクラッチカバー組立体では、第１突起部が第１当接部から突出しているため、製造過程において第１摺動部の第１摺動面の寸法精度を向上させるために第１摺動面を押圧し第１部材の形状を調整しても、第１突起部の半径方向の位置がほとんど変化しない。この結果、第１摺動面の寸法精度を調整した後に内径または外径を再度調整する必要がない。これにより、製造工程を短縮することができ、製造コストの低減を図ることができる。また、第２部材とプレッシャープレートとの摺動面積が小さいため、第２部材とプレッシャープレートとの相対運動がスムーズとなり、摩耗補償機構の応答性が向上するとともに、第２部材とプレッシャープレートとの錆び付きによる摩耗補償機構の動作不良を防止することができる。
【００３１】
第１１の発明としてのクラッチカバー組立体は、第８〜第１０の発明のいずれかにおいて、第１部材および第２部材の回転軸を含む平面における断面は略環状である。
【００３２】
第１２の発明としてのクラッチカバー組立体は、第８〜第１１の発明のいずれかにおいて、第１部材は回転軸を含む平面における断面が摩擦部材と反対側に開いた略Ｕ字形状を有している。第２部材は、回転軸を含む平面における断面が摩擦部材側に開いた略Ｕ字形状を有している。
【００３３】
第１３の発明としてのクラッチカバー組立体は、第８〜第１２の発明のいずれかにおいて、第１部材は、プレッシャープレートに軸方向に当接する環状の第１当接部と、第１当接部の内周部および外周部から軸方向へ延びるように形成され回転方向に傾斜している複数の第１摺動面を有する１対の第１摺動部とを有している。第２部材は、ダイヤフラムスプリングに軸方向に当接可能に配置された環状の第２当接部と、第２当接部の内周部および外周部から軸方向へ延びるように形成され複数の第１摺動面に当接する複数の第２摺動面を有する１対の第２摺動部を有している。
【００３４】
第１４の発明としてのクラッチカバー組立体は、第１３の発明において、第１突起部が第１当接部の内周部または外周部に形成されている。
【００３５】
第１５の発明としてのクラッチカバー組立体は、第１３または第１４の発明において、第２突起部が第２当接部の内周部または外周部に形成されている。
【００３６】
第１６の発明としてのクラッチカバー組立体は、第９〜第１５の発明のいずれかにおいて、第１突起部が摩擦部材側と反対側に延びている。第２突起部は第１突起部と回転方向に当接可能に摩擦部材側に延びている。
【００３７】
この場合、例えば、摩擦部材が摩耗により使用限界に達した状態で、第１突起部と第２突起部とが回転方向に当接するように各突起部の位置を決めておく。この結果、摩擦部材が摩耗限界に達すると摩耗補償機構の動作が停止し、さらに摩耗が進行するとクラッチのレリーズ荷重が徐々に大きくなる。これにより、ドライバに摩擦部材が使用限界に達していることを認識させることができ、摩耗補償機構を備えていても摩擦部材の適切な取り替え時期を把握することができる。
【発明の効果】
【００３８】
本発明では、摩耗補償機構を備えたクラッチカバー組立体において、設計の自由度を高めることができる。また、本発明では、摩耗補償機構を備えたクラッチカバー組立体において、製造コストの低減を図ることができる。
【発明を実施するための最良の形態】
【００３９】
（１）クラッチカバー組立体の全体構造
図１〜図４に示すプッシュタイプのダイヤフラムスプリング式クラッチカバー組立体１は、エンジンのフライホイール５１に対してクラッチディスク組立体５２の摩擦部材５３を押し付けてクラッチを連結し、あるいは押し付けを解除してクラッチを切断するための装置である。なお、摩擦部材５３は、摩擦フェーシング５３ａとクッショニングプレート５３ｂとを有し、軸方向に所定範囲内でたわみ可能なクッショニング機能を有している。
【００４０】
図１に示すＯ−Ｏ線が、フライホイール５１およびクラッチカバー組立体１の回転軸線である。以下、図の左側を軸方向エンジン側といい、図の右側を軸方向トランスミッション側という。図２に示す矢印Ｒ１方向がクラッチ装置の回転方向であり、矢印Ｒ２方向がその反対方向である。なお、図１、３および４における各部材の位置および姿勢はクラッチディスク組立体５２の摩擦部材５３に摩耗が生じていない初期段階でクラッチが連結された状態である。
【００４１】
クラッチカバー組立体１は、フライホイール５１のトルクをクラッチディスク組立体５２に伝達又は遮断するための装置であり、主に、クラッチカバー２と、プレッシャープレート３と、ダイヤフラムスプリング４とから構成されている。
【００４２】
クラッチカバー２は、概ね皿形状のプレート部材であり、外周部が例えばボルトによりフライホイール５１に固定されている。クラッチカバー２は、環状のクラッチカバー本体２ａと、クラッチカバー本体２ａの外周側に形成されフライホイール５１の外周部に対して軸方向に隙間をあけて対向する円板状部２ｄと、クラッチカバー本体２ａの内周側に形成された４つの平坦部２ｂとを有している。平坦部２ｂはクラッチカバー本体２ａの内周部から半径方向内側へ延びる平坦な部分であり、平坦部２ｂには後述する低レリーズ荷重特性実現機構１０が装着されている。
【００４３】
プレッシャープレート３は、クラッチカバー２の内周側において、クラッチディスク組立体５２の摩擦フェーシング５３ａとクラッチカバー２との軸方向間に配置された環状の部材である。プレッシャープレート３には、フライホイール５１に対向する側に環状でかつ平坦な押圧面３ａが形成されている。プレッシャープレート３の第２軸方向側にはクラッチカバー２と対向する第２軸方向面３ｂが形成されている。押圧面３ａとフライホイール５１との間には、クラッチディスク組立体５２の摩擦部材５３が配置される。プレッシャープレート３は、複数のストラッププレート７によって、クラッチカバー２に対して、軸方向には移動可能であるが相対回転不能に連結されている。具体的には、各ストラッププレート７のＲ２側端はボルト５６によりプレッシャープレート３の外周部に固定され、Ｒ１側端は図示しないリベットによりクラッチカバー２に固定されている。この連結によって、プレッシャープレート３は、クラッチカバー２とともにＲ１側に回転するようになっている。また、クラッチ連結状態においてストラッププレート７は軸方向にたわんでおり、プレッシャープレート３に対して軸方向トランスミッション側に付勢力を与えている。
【００４４】
ダイヤフラムスプリング４は、プレッシャープレート３とクラッチカバー２との間に配置された円板状部材であり、環状弾性部４ａと、環状弾性部４ａの内周部から径方向内側に延びる複数のレバー部４ｂとから構成されている。環状弾性部４ａの内周部は、ファルクラムリング１２（後述）に当接している。環状弾性部４ａの外周部はワイヤリング５を介してクラッチカバー２に支持されている。この状態で環状弾性部４ａは、第１摩耗補償機構９（後述）を介して、プレッシャープレート３をフライホイール５１側に付勢している。ダイヤフラムスプリング４のレバー部４ｂ間はスリットになっており、そのスリットの外周部には小判状の孔４ｃが形成されている。ダイヤフラムスプリング４のレバー部４ｂの先端にはプッシュタイプのレリーズ装置（図示せず）が係合している。このレリーズ装置は、レリーズベアリング等から構成されている。
【００４５】
（２）第１摩耗補償機構
次に、図１〜図１０を用いて第１摩耗補償機構９について説明する。図５に第１摩耗補償機構９の平面概略図、図６に第１摩耗補償機構９の側面概略図、図７に第１アジャストリング９１および第２アジャストリング９２の平面概略図、図８に第１アジャストリング９１および第２アジャストリング９２の側面概略図（内周側および外周側から見た側面概略図）、図９に第１アジャストリング９１おおよび第２アジャストリング９２の断面概略図（図７のＡ−Ａ断面およびＢ−Ｂ断面）、図１０に第１摩耗補償機構９の動作説明図を示す。
【００４６】
第１摩耗補償機構９は、クラッチディスク組立体５２の摩擦フェーシング５３ａが摩耗した後にダイヤフラムスプリング４の姿勢を初期の状態に復帰させる、すなわちダイヤフラムスプリング４からプレッシャープレート３への押付荷重を一定に保つための機構である。
【００４７】
図３〜図５に示すように、第１摩耗補償機構９は、プレッシャープレート３とダイヤフラムスプリング４との間に配置されており、主に、摩擦部材５３側に配置された第１部材としての第１アジャストリング９１と、第１アジャストリング９１のクラッチカバー２側に配置された第２部材としての第２アジャストリング９２と、第１アジャストリング９１と第２アジャストリング９２とを回転方向に弾性的に連結する調整用弾性部材としての複数のリターンスプリング９０とから構成されている。
【００４８】
第１アジャストリング９１および第２アジャストリング９２は、ダイヤフラムスプリング４の付勢力をプレッシャープレート３に伝達するとともに、クラッチ連結時におけるダイヤフラムスプリング４の姿勢を一定に保つための部材である。具体的には図３〜８に示すように、第１アジャストリング９１および第２アジャストリング９２は、プレッシャープレート３の突出部３ｃの外周側に相対回転可能に挿嵌された環状の部材であり、クラッチ連結時にはプレッシャープレート３とダイヤフラムスプリング４の環状弾性部４ａとの間に狭持される。
【００４９】
図７〜図９に示すように、第１アジャストリング９１は、１枚のプレートから一体成形された板金製の部材であり、回転軸Ｏ−Ｏを含む平面における断面がクラッチカバー２側（摩擦部材５３と反対側）に開いた略Ｕ字形状を有している。第１アジャストリング９１は、プレッシャープレート３に軸方向に当接する環状の第１当接部９３と、第１当接部９３の内周部および外周部から軸方向へ延びるように形成された１対の第１摺動部９４ａ、９４ｂと、第１当接部９３から内周側に突出しプレッシャープレート３の突出部３ｃと摺動可能な複数の第１突起部９５とから主に構成されている。
【００５０】
図６および図８に示すように、第１摺動部９４ａ、９４ｂのクラッチカバー２側には、Ｒ２方向（図８の右方向）に向かって下るように傾斜する複数の第１摺動面９４ｃ、９４ｄと、第１摺動面９４ｃ、９４ｄ同士の間にＲ１方向（図８の左方向）に向かって下るように傾斜する複数の第１当接面９４ｅ、９４ｆとが形成されている。第１摺動部９４ａ、９４ｂは、第１当接面９４ｅ、９４ｆに比べて傾斜が緩やかである。また図４および図９に示すように、第１当接部９３の摩擦部材５３側には摩擦部材５３側に突出しプレッシャープレート３に当接可能な環状の第１環状突出部９３ａが形成されている。
【００５１】
第２アジャストリング９２は、本実施形態においては第１アジャストリング９１と同形状を有している。図７〜図９に示すように、第２アジャストリング９２は、１枚のプレートから一体成形された板金製の部材であり、回転軸Ｏ−Ｏを含む平面における断面が摩擦部材５３側に開いた略Ｕ字形状を有している。図７に示すように、第２アジャストリング９２は、第２当接部９６と、第２摺動部９７ａ、９７ｂと、第２突起部９８とから主に構成されており、第２摺動部９７ａ、９７ｂには第２摺動面９７ｃ、９７ｄと、第２当接面９７ｅ、９７ｆとが形成されている。第２当接部９６にはダイヤフラムスプリング４の環状弾性部４ａと当接可能な第２環状突出部９６ａが形成されている。
【００５２】
図７〜図９に示すように、第１突起部９５は、第１当接部９３の内周部から延びる爪状の部分であり、第１摺動部９４ａ、９４ｂよりも半径方向内側へ突出している。また図４に示すように、第１突起部９５は軸方向クラッチカバー２側（摩擦部材５３と反対側）へ延びている。図７〜図９に示すように、第２突起部９８は、第２当接部９６の内周部から延びる爪状の部分であり、第２摺動部９７ａ、９７ｂよりも半径方向内側へ突出している。また図４に示すように、第２突起部９８は軸方向摩擦部材５３側へ延びている。第１突起部９５および第２突起部９８は、半径方向位置がほぼ一致しており、第１アジャストリング９１および第２アジャストリング９２を組み合わせた状態において回転方向に当接可能となっている。
【００５３】
以上に説明した第１アジャストリング９１および第２アジャストリング９２は、第１摺動面９４ｃ、９４ｄと第２摺動面９７ｃ、９７ｄとが当接するように組み合わされている。組み合わされた状態で第１アジャストリング９１と第２アジャストリング９２とが相対回転すると、テーパ状の第１摺動面９４ｃ、９４ｄおよび第２摺動面９７ｃ、９７ｄが摺動し、第１アジャストリング９１および第２アジャストリング９２が軸方向に相対移動する。第１当接面９４ｅ、９４ｆおよび第２当接面９７ｅ、９７ｆが回転方向に当接する、あるいは第１突起部９５および第２突起部９８が回転方向に当接すると、第１アジャストリング９１および第２アジャストリング９２の相対回転は停止する。
【００５４】
また、組み合わされた第１アジャストリング９１および第２アジャストリング９２の断面はほぼ環状であり、第１アジャストリング９１および第２アジャストリング９２により形成された空間に２つのリターンスプリング９０が弾性変形可能に配置されている。リターンスプリング９０は、例えば引っ張りばねであり、その端部９３ａ、９３ｂが第１アジャストリング９１および第２アジャストリング９２に引っかけられている。すなわち、リターンスプリング９０の引っ張り力により、第１アジャストリング９１および第２アジャストリング９２が相対回転する。ここでは、第２アジャストリング９２が第１アジャストリング９１に対してＲ１方向（図６の左方向）に相対回転するように、リターンスプリング９０は配置されている。
【００５５】
ここで、図１０を用いて第１摩耗補償機構９の動作について説明する。図１０（ａ）〜（ｃ）に各状態における第１摩耗補償機構９の側面図を示す。図１０（ａ）に示すように、クラッチカバー組立体１に組み込まれた初期状態においては、第１当接面９４ｅ、９４ｆと第２当接面９７ｅ、９７ｆとが当接する程度にリターンスプリング９０が引っ張られている。このとき、第１摩耗補償機構９の軸方向の寸法が最小となる。
【００５６】
リターンスプリング９０の引っ張り力により第１アジャストリング９１および第２アジャストリング９２が相対回転すると、第１摺動面９４ｃ、９４および第２摺動面９７ｃ、９７ｄが摺動し、第１摺動面９４ｃ、９４および第２摺動面９７ｃ、９７ｄに沿って軸方向（図１０の上下方向）に相対移動する（図１０（ｂ））。相対回転が進行すると第１アジャストリング９１および第２アジャストリング９２の軸方向の合計寸法が徐々に大きくなる。
【００５７】
第１アジャストリング９１および第２アジャストリング９２の相対回転が進行し、第１突起部９５および第２突起部９８が回転方向に当接すると、相対回転は停止する（図１０（ｃ））。このとき、第１摩耗補償機構９の軸方向の寸法が最大となる。
【００５８】
以上の動作により、摩擦部材５３の摩擦フェーシング５３ａが摩耗し、クラッチ連結時におけるプレッシャープレート３の軸方向の位置が変化しても、ダイヤフラムスプリング４の姿勢を一定に保つことができる。
【００５９】
（３）低レリーズ荷重特性実現機構
図２および図３を用いて、低レリーズ荷重特性実現機構１０について説明する。低レリーズ荷重特性実現機構１０は、摩擦部材５３におけるクッショニング機能による低レリーズ荷重化を、摩擦部材５３が摩耗した状態でも実現するためのレリーズ補助用機構である。最初に、図１４を用いて、摩擦部材におけるクッショニング機能による低レリーズ荷重化を説明する。クッショニング機能がない場合は、レリーズ荷重特性６０は、ピークすなわち荷重バランス点６３までは線形に変化し、そこからなだらかに小さくなっていき、またなだらかに大きくなっていく。また、荷重バランス点６３まではプレッシャープレートの切れ量６５はゼロである。摩擦部材がクッション機能を有している場合は、レリーズ時のプレッシャープレートの動きが早くなり、プレッシャープレートの切れ量６５はクッショニングプレートがない場合に比べて早く大きくなる。また、図１４において荷重バランス点６３におけるピークが大幅に小さくなり、低レリーズ荷重特性が実現される。以上の結果が得られるのは、プレッシャープレートの位置がレリーズ動作中において、図６の押付荷重特性において負の勾配方向（右方向）に移動するからである。したがって、摩擦部材の摩耗によってセットラインの位置が変わればプレッシャープレートはレリーズ動作中において平坦部分や正勾配部分を移動することも考えられる。しかし、本発明の実施形態では、第１摩耗補償機構９によって、セットラインは変化しない。また設計目的により、セットラインの初期設定を平坦部分や正勾配の部分に設定する場合においても本発明の実施形態では低レリーズ荷重特性実現機構１０の働きにより、レリーズ時に強制的に負の荷重勾配を創出するのでクラッチディスクのクッショニング機能の効果も相まって低レリーズ荷重を実現することができる。
【００６０】
クラッチカバー組立体１は２つの低レリーズ荷重特性実現機構１０を備えており、図２に示すように、低レリーズ荷重特性実現機構１０はクラッチカバー２に形成された４つの平坦部２ｂのうち２カ所に装着されている。図４に示すように、低レリーズ荷重特性実現機構１０は、プレッシャープレート３の第２軸方向面３ｂから軸方向トランスミッション側に延びる支持部材としての支持ボルト３１と、支持ボルト３１の端部に螺合する略キャップ状のホルダー３２と、ホルダー３２の外周側に挿嵌された第１支持部材３３と、ホルダー３２に嵌め込まれたスナップリング３８ａと、第１支持部材３３とスナップリング３８ａとの間に配置された中間部材３８ｂと、第１支持部材３３に嵌め込まれた環状の第２支持部材３５と、支持ボルト３１の外周側に挿入された第２アジャストスプリング３９と、ホルダー３２の摩擦部材５３側に配置されたガイドプレート３４と、内周縁が第１支持部材３３および第２支持部材３５に支持された弾性部材としての第１コーンスプリング３６および第２コーンスプリング３７と、平坦部２ｂに固定され第１コーンスプリング３６および第２コーンスプリング３７を平坦部２ｂとの間に収容するスペーサ４６、ホルダーリング４８およびストッパ４１とから主に構成されている。
【００６１】
図４に示すように、支持ボルト３１は、ダイヤフラムスプリング４の小判状の孔４ｃを軸方向に貫通している胴部３１ａと、表面にネジが螺旋状に形成されたネジ部３１ｂとを有している。胴部３１ａの外周側には、第２アジャストスプリング３９が巻かれている（後述）。ネジ部３１ｂは、ダイヤフラムスプリング４に形成された孔４ｃ内に配置されている。
【００６２】
ホルダー３２は、第１コーンスプリング３６および第２コーンスプリング３７から摩擦部材５３側と軸方向反対側に荷重を受けるための部材であり、軸方向に延びる筒状のホルダー本体３２ａと、ホルダー本体３２ａの軸方向エンジン側の端部から外周側に延びる環状のフランジ部３２ｂと、ホルダー本体３２ａの軸方向トランスミッション側の端部を閉じるように形成された頭部３２ｃとから構成されている。
【００６３】
ホルダー本体３２ａは、内周面にネジ部３１ｂに螺合するネジ３２ｄが形成されており、支持ボルト３１のネジ部３１ｂと螺合している。フランジ部３２ｂは、第２アジャストスプリング３９からのトルクを受ける部分であり、ホルダー本体３２ａと一体成形されている。フランジ部３２ｂには軸方向に貫通する複数の孔３２ｅが形成されており、第２アジャストスプリング３９の第１係合端３９ａは孔３２ｅを貫通している。
【００６４】
第１支持部材３３は、ホルダー３２の外周側に配置された筒状の部材である。ホルダー３２の軸方向トランスミッション側の端部の外周面にはスナップリング３８ａが嵌め込まれており、第１支持部材３３の端部とスナップリング３８ａとの間には中間部材３８ｂが挟み込まれている。また、第１支持部材３３の内周面とホルダー３２の外周面との間には半径方向隙間が確保されている。すなわち、第１支持部材３３はホルダー３２により、わずかな隙間を保った状態で、軸方向に移動不能に、かつ、相対回転可能に保持されている。第２支持部材３５は、第１支持部材３３の軸方向トランスミッション側部分の外周面に溶接又はかしめ等により固定された環状の部材である。
【００６５】
以上のように、ホルダー３２と第１支持部材３３と第２支持部材３５とは、軸方向に一体に動く１つの組立体を構成している。
【００６６】
第２アジャストスプリング３９は、捩りコイルスプリングであって、クラッチカバー２とプレッシャープレート３との軸方向間、より詳細にはホルダー３２の軸方向エンジン側（摩擦部材５３側）に配置されている。第２アジャストスプリング３９とホルダー３２との軸方向間には、円形のプレート部材であるガイドプレート３４が配置されている。第２アジャストスプリング３９は、支持ボルト３１の胴部３１ａの外周側に巻かれており、第２アジャストスプリング３９の第１係合端３９ａはガイドプレート３４の孔３４ａを貫通してホルダー３２の孔３２ｅに挿入されている。また第２アジャストスプリング３９の第２係合端３９ｂは支持ボルト３１の孔３１ｃに嵌め込まれ、第２アジャストスプリング３９が支持ボルト３１に装着されている。すなわち、第２アジャストスプリング３９が巻き上げられた状態では、第２アジャストスプリング３９がホルダー３２に対して回転方向片側にほぼ一定の荷重を与えている。この場合、第２アジャストスプリング３９からの荷重付与方向は、ホルダー３２がネジ部３１ｂに沿って軸方向トランスミッション側に移動していく方向である。
【００６７】
以上のように、第２アジャストスプリング３９から付与されるトルクにより、ホルダー３２、第１支持部材３３および第２支持部材３５は、支持ボルト３１に対して相対回転および軸方向に相対移動可能となる。
【００６８】
また、以上に説明した構成により、第１コーンスプリング３６および第２コーンスプリング３７は軸方向に弾性変形可能に保持されている。図４に示すように、第１コーンスプリング３６および第２コーンスプリング３７は、ダイヤフラムスプリング４の付勢力に対抗する荷重を発生するための部材である。具体的には、第１コーンスプリング３６の内周縁は第２支持部材３５に軸方向エンジン側へ支持されており、外周縁は後述するスペーサ４６に軸方向トランスミッション側へ支持されている。すなわち、第１コーンスプリング３６は第２支持部材３５とスペーサ４６との軸方向間において弾性変形可能に保持されている。また、第２コーンスプリング３７は、第１コーンスプリング３６と平坦部２ｂとの間に配置されており、内周縁が第１支持部材３３の環状突起３３ａに軸方向トランスミッション側へ支持されており、外周縁が第１コーンスプリング３６に軸方向エンジン側へ支持されている。すなわち、第２コーンスプリング３７は第１支持部材３３と第１コーンスプリング３６との軸方向間において弾性変形可能に保持されている。
【００６９】
ここで、図１５〜図１６を用いてスペーサ４６、ホルダーリング４８およびストッパ４１について詳細に説明する。図１５（ａ）にスペーサ４６の平面図、図１５（ｂ）にホルダーリング４８の平面図、図１６（ａ）、（ｂ）にストッパ４１の断面図および平面図を示す。
【００７０】
スペーサ４６は、第１コーンスプリング３６および第２コーンスプリング３７が軸方向へ弾性変形するための空間Ｓ１（図４参照）を確保する環状のプレート部材であり、図１５（ａ）に示すように孔４６ａを有している。スペーサ４６の内径は第１コーンスプリング３６の外径よりも小さく、第１コーンスプリング３６の外周縁はスペーサ４６により軸方向トランスミッション側へ支持されている。スペーサ４６の内周側（孔４６ａの内部）には第１コーンスプリング３６の内周部および第２コーンスプリング３７が配置されている。
【００７１】
ホルダーリング４８は、第１コーンスプリング３６の半径方向の位置決めをするための環状の部材であり、図１５（ｂ）に示すようにスペーサ４６の軸方向トランスミッション側に配置されている。図１５（ｂ）に示すようにスペーサ４６とほぼ同じ形状を有している。ホルダーリング４８はスペーサ４６の孔４６ａよりも内径が大きい孔４８ａを有している。ホルダーリング４８の内径は第２コーンスプリング３７の外径よりも大きく、ホルダーリング４８の内周側（孔４８ａの内部）には半径方向の隙間を介して第１コーンスプリング３６が配置されている。
【００７２】
ストッパ４１は、プレッシャープレート３の軸方向トランスミッション側への移動量を規制するための環状の部材であり、図４および図１６に示すように環状の係止部４１ａを有している。図４に示すように、係止部４１ａの内径は前述の中間部材３８ｂの外径よりも小さく設定されており、係止部４１ａと中間部材３８ｂとは軸方向に当接可能である。またクラッチ連結時（図４に示す状態）において、係止部４１ａと中間部材３８ｂとの軸方向間には隙間４２が形成されている。これにより、クラッチの連結が解除されプレッシャープレート３が軸方向トランスミッション側に移動すると、係止部４１ａと中間部材３８ｂとが当接し、プレッシャープレート３の移動量が制限される。なお、スペーサ４６はホルダーリング４８およびストッパ４１とともにボルト４９によりクラッチカバー２の平坦部２ｂに固定されている。
【００７３】
以上のように、第１コーンスプリング３６および第２コーンスプリング３７はスペーサ４６、ホルダーリング４８およびストッパ４１により形成された空間（特にスペーサ４６の内周側の空間Ｓ１）において軸方向へ弾性変形可能となる。
【００７４】
また、以上に述べた構成により、第１コーンスプリング３６は、ホルダー３２等からなる構造体に対して軸方向トランスミッション側への荷重を与えることが可能であり、第２コーンスプリング３７はホルダー３２等からなる構造体に対して軸方向エンジン側への荷重を与えることが可能である。第１および第２コーンスプリング３６，３７は、クラッチ連結時にはホルダー３２等にほとんど荷重を付与していないが、クラッチレリーズ動作中にはホルダー３２等に軸方向トランスミッション側に荷重を与えて、レリーズ荷重を低下させる。つまり、第１コーンスプリング３６の荷重が第２コーンスプリング３７の荷重より大きいことになる。
【００７５】
ここで、低レリーズ荷重特性実現機構１０の動作について説明する。図１２に示すように、第１コーンスプリング３６の特性４３は正側（軸方向トランスミッション側）に向けて荷重を発生するようになっており、第２コーンスプリング３７の特性４４は負側（軸方向エンジン側）に向けて荷重を発生するようになっている。第１コーンスプリング３６の特性４３は谷部と山部の差が大きくて勾配が大きく、第２コーンスプリング３７の特性４４は谷部と山部の差が小さくて勾配が小さい。合成特性４５は、谷部がクラッチエンゲージ位置に配置され、そこでの荷重がゼロになっている。なお、合成特性４５の谷荷重はゼロ以下になるように設計されることが好ましい。荷重ゼロから最大レリーズ位置側に移動すると、荷重は正側に徐々に大きくなっていく。これを図１３のセット荷重特性でみると、セットラインを荷重特性のピーク位置に設定した場合でもレリーズ動作を行うと、摩擦部材５３におけるクッション機能によってセットラインが変位量大側にライン４７のようにシフトする。つまり、押付特性において負勾配が必ず確保されており、したがってクッション機能による低レリーズ荷重化が確実に実現される。
【００７６】
クラッチ連結状態では、第２アジャストスプリング３９によりホルダー３２を回転させる力（トルク）と第１および第２コーンスプリング３６，３７の合成荷重（軸方向荷重）によるねじ面の摩擦力とが釣り合っており、そのためこの状態で支持ボルト３１にかかる軸方向荷重はゼロよりわずかに大きい値になっている。摩擦部材５３が摩耗すると、支持ボルト３１、ホルダー３２等は軸方向エンジン側に移動する。すると、コーンスプリング３６，３７の変形が進み、それら部材の荷重が低下し荷重のバランスが崩れる。そのとき、第２アジャストスプリング３９がホルダー３２を回転させて軸方向エンジン側に移動させる。すると、コーンスプリング３６，３７による軸方向の合成荷重が増加し、それに正比例してねじ面の摩擦力が増加するため、第２アジャストスプリング３９のトルクによりホルダー３２を回転させることが不可能になり、そこでホルダー３２の軸方向移動が停止する。このように、摩擦部材５３が摩耗しても、低レリーズ荷重特性実現機構１０におけるコーンスプリング３６，３７の姿勢は、元の状態に復帰する。つまり、低レリーズ荷重特性実現機構１０において第２摩耗補償機構が実現されており、その結果、コーンスプリング３６，３７の姿勢は摩擦部材５３が摩耗しても維持され、低レリーズ荷重特性実現機構１０の荷重は一定に維持される。
【００７７】
なお、図４に示すように、クラッチ連結状態において、中間部材３８ｂとストッパ４１との間には隙間４２が確保されている。より具体的には、ストッパ４１の係止部４１ａと中間部材３８ｂとの間にはプレッシャープレート３の切れ代に相当する隙間が確保されている。レリーズ動作では、プレッシャープレート３、支持ボルト３１およびホルダー３２等が軸方向トランスミッション側に移動するため、第１コーンスプリング３６の内周部が軸方向トランスミッション側に引き上げられる。やがて、ホルダー３２に固定された中間部材３８ｂがストッパ４１の係止部４１ａに当接すると、プレッシャープレート３やホルダー３２等の軸方向移動が停止する。このように、ストッパ４１とホルダー３２とによって、プレッシャープレートの移動量を制限するストッパー機構５５が形成されている。このように、低レリーズ荷重特性実現機構１０が第１摩耗補償機構９のストッパー機構５５の機能を有しているため、構成が簡単になり、部品点数が少なくなる。さらに、レリーズ状態では、低レリーズ荷重特性実現機構１０において支持ボルト３１からホルダー３２に対して軸方向の荷重が作用しているが、ネジ螺合によって軸方向に大きな荷重が発生するため、第１摩耗補償機構９におけるオーバーアジャストが生じにくい。
【００７８】
さらに、摩擦部材５３が摩耗した場合であっても、前述したように、低レリーズ荷重特性実現機構１０における第１および第２コーンスプリング３６，３７の姿勢は、元の状態に復帰する。つまり、摩擦部材５３が摩耗してもストッパー機構５５における隙間４２の大きさは一定に保たれる。
【００７９】
（４）クラッチ連結・レリーズ動作
このクラッチカバー組立体１では、図示しないレリーズ装置がダイヤフラムスプリング４のレバー部４ｂの先端をトランスミッション側に引き出すと、ワイヤリング５を支点としてダイヤフラムスプリング４の環状弾性部４ａの内周部が軸方向トランスミッション側に引き上げられる。これにより、環状弾性部４ａがプレッシャープレート３を押圧しなくなり、プレッシャープレート３はストラッププレート７により摩擦部材５３から引き離され、最後に摩擦部材５３がフライホイール５１から離れる（クラッチ解除状態）。
【００８０】
図示しないレリーズ装置がダイヤフラムスプリング４のレバー部４ｂの先端に荷重を与えていない状態で、環状弾性部４ａはプレッシャープレート３に押圧荷重を与えている。その結果、クラッチディスク組立体５２の摩擦部材５３がフライホイール５１に押し付けられ、クラッチディスク組立体５２にトルクが伝達される（クラッチ連結状態）。
【００８１】
この状態で摩擦フェーシング５３ａが摩耗すると、エンゲージ状態においてプレッシャープレート３がフライホイール５１側に移動する。そのため、低レリーズ荷重特性実現機構１０において、支持ボルト３１、ホルダー３２等も軸方向エンジン側に移動する。その結果、コーンスプリング３６，３７が弾性変形し、それらとストッパ４１の係止部４１ａとの間の隙間４２が大きくなる。しかしコーンスプリング荷重とアジャストスプリングのトルクにより発生するホルダー３２の軸力とのバランスが崩れるので第２アジャストスプリング３９のトルクでホルダー３２が回転する。この結果、ホルダー３２が軸方向トランスミッション側へ移動し、コーンスプリング３６，３７の姿勢は元に戻り、隙間４２も元に戻り一定値が保たれる。同時にこの状態ではプレッシャープレート３は摩擦部材５３の摩耗分だけフライホイール５１側に変位しており、その結果ダイヤフラムスプリング４の先端高さも変化している。本発明においてはレリーズ量は最大レリーズ時のダイヤフラムスプリング４の内径端（レバー部４ｂの先端）の位置で規定されており、具体的にはフライホイール５１からの距離、もしくは図示しないクラッチハウジングの特定部分よりの距離で定めている。そのためダイヤフラムスプリング４をレリーズすると結果的に摩擦部材５３の摩耗前よりレリーズ量が増えることになり第１摩耗補償機構９の第２アジャストリング９２と接触しているダイヤフラムスプリング４の環状弾性部４ａも余分に移動する。しかし、図１５に示すように、プレッシャープレート３の移動量は隙間４２で一定に保たれるので、結果として第１摩耗補償機構９の第２アジャストリング９２とダイヤフラムスプリング４の環状弾性部４ａとの軸方向間に隙間を生じる。そして、その隙間を埋めるように、第１摩耗補償機構９の第１アジャストリング９１と第２アジャストリング９２とが、第１当接部９３の引っ張り力により相対回転し軸方向に相対移動する。この結果、第２アジャストリング９２がダイヤフラムスプリング４の環状弾性部４ａに当接しリターンスプリング９０の引っ張り力と当接部の摩擦力とが釣り合った状態で、第１アジャストリング９１および第２アジャストリング９２の相対回転が停止し、第１摩耗補償機構９の作動が完了する。
【００８２】
（５）クラッチカバー組立体１により得られる作用効果
以上に述べたクラッチカバー組立体１により得られる作用効果について以下にまとめる。
【００８３】
１）第１摩耗補償機構９により得られる作用効果
このクラッチカバー組立体１では、第１アジャストリング９１および第２アジャストリング９２の断面がほぼ環状となっているため、第１アジャストリング９１および第２アジャストリング９２により形成された空間Ｓ２を有効利用することができる。例えば、空間Ｓ２内にリターンスプリング９０を収容することができる。そして、この空間Ｓ２の形状はほぼ円形となるため、従来よりも大きいリターンスプリング９０を配置することができる。また、大きい弾性力を必要としない場合には、リターンスプリング９０を小さくすることができ、それに伴い第１アジャストリング９１および第２アジャストリング９２を小型化することができる。このように、第１摩耗補償機構９の設計の自由度を高めることができ、それに伴いクラッチカバー組立体１の設計の自由度も高めることができる。
【００８４】
また、第１突起部９５が第１当接部９３から突出しているため、製造過程において第１摺動部９４ａ、９４ｂの第１摺動面９４ｃ、９４ｄの寸法精度を向上させるために第１摺動面９４ｃ、９４ｄを押圧し第１アジャストリング９１の形状を調整しても、第１突起部９５の半径方向の位置がほとんど変化しない。この結果、第１摺動面９４ｃ、９４ｄの寸法精度を調整した後に第１突起部９５の内径を再度調整する必要がない。また、第１突起部９５と同様に、第２突起部９８についても内径を再度調整する必要がない。これにより、このクラッチカバー組立体１では、製造工程を短縮することができ製造コストの低減を図ることができる。
【００８５】
また、第１突起部９５および第２突起部９８により、第１アジャストリング９１および第２アジャストリング９２とプレッシャープレート３との摺動面積が小さくなる。このため、第１アジャストリング９１および第２アジャストリング９２とプレッシャープレート３との相対運動がスムーズになる。これにより、第１摩耗補償機構９の応答性が向上するとともに、プレッシャープレート３と第１摩耗補償機構９との錆び付きによる第１摩耗補償機構９の動作不良を防止することができる。
【００８６】
さらに、前述のように摩擦部材５３が摩耗により使用限界に達した状態では、第１突起部９５と第２突起部９８とが回転方向に当接する。この結果、摩擦部材５３が摩耗限界に達すると第１摩耗補償機構９の動作が停止し、さらに摩耗が進行するとクラッチのレリーズ荷重が徐々に大きくなる。これにより、ドライバに摩擦部材５３が使用限界に達していることを認識させることができ、第１摩耗補償機構９を備えていても摩擦部材５３の適切な取り替え時期を把握することができる。
【００８７】
以上に述べたように、このクラッチカバー組立体１では、設計の自由度を高めることができるとともに、製造コストの低減を図ることができる。
【００８８】
２）低レリーズ荷重特性実現機構１０により得られる作用効果
このクラッチカバー組立体１では、スペーサ４６により第１コーンスプリング３６および第２コーンスプリング３７が弾性変形するための空間Ｓ１が確保されている。このため、クラッチカバー２の平坦部２ｂに大きな孔１１の加工やプレス加工などを施して第１コーンスプリング３６および第２コーンスプリング３７が弾性変形するための空間を確保する必要がない。これにより、クラッチカバー２の加工による制限を受けることなく、第１コーンスプリング３６および第２コーンスプリング３７の寸法を大きくすることができ、設計の自由度を高めることができる。また、この空間Ｓ１の寸法はスペーサ４６の内径や厚みにより調整することができるため、調整が容易となり、より設計の自由度を高めることができる。
【００８９】
また、スペーサ４６により大きな孔加工やプレス加工などを施す必要がなくなる。このため、クラッチカバー２の加工コストを削減することができ、製造コストの低減を図ることができる。
【００９０】
以上に述べたように、このクラッチカバー組立体１では、設計の自由度を高めることができるとともに、製造コストの低減を図ることができる。
【００９１】
（６）スペーサ４６を利用した別の実施形態
前述の実施形態では、低レリーズ荷重特性実現機構１０の一部にスペーサ４６を利用しているが、このスペーサ４６は、軸方向に弾性変形可能にクラッチカバーに支持されるコーンスプリングを備えた機構であれば、例えば押付荷重特性の平坦化をするための低レリーズ荷重特性実現機構にも適用可能である。これについて、図１８を用いて説明する。図１８に別に実施形態としてのピークカット機構の縦断面概略図を示す。
【００９２】
低レリーズ荷重特性実現機構１０８は、押付荷重特性の平坦化を達成することで、摩擦部材の摩耗が進んだ場合でも低レリーズ荷重特性を実現するための機構である。具体的には図１８に示すように、低レリーズ荷重特性実現機構１０８は、支持ボルト１１２と、スプリングシート１１３と、２枚のコーンスプリング１１４とから構成されている。支持ボルト１１２は、プレッシャープレート１０３の突出部１０３ｂ側の面の内周部から軸方向トランスミッション側に延びている。支持ボルト１１２は、ダイヤフラムスプリング１０４の小判状の孔１０４ｃおよびクラッチカバー１０２に形成された孔１０２ａを通ってさらに軸方向に延びている。
【００９３】
クラッチカバー１０２には、スペーサ１４６が固定されている。スペーサ１４６は環状のプレート部材であり、コーンスプリング１３６の外周縁を軸方向トランスミッション側に支持している。コーンスプリング１３６の内周縁は、支持ボルト１１２に挿嵌されたスプリングシート１１３に軸方向エンジン側に支持されている。
【００９４】
この低レリーズ荷重特性実現機構１０８は、ダイヤフラムスプリング１０４の押付荷重に対抗する荷重をプレッシャープレート１０３に付与し、押付荷重特性の平坦化を行う。このため、コーンスプリング１３６は、スプリングシート１１３とスペーサ１４６との間で軸方向に弾性変形する。この場合、コーンスプリング１３６とクラッチカバー１０２との間にスペーサ１４６を配置しているため、スペーサ１４６の厚みによりコーンスプリング１３６とクラッチカバー１０２との間にコーンスプリング１３６が弾性変形するための空間Ｓ３を確保することができる。これにより、前述の実施形態と同様の作用効果を得ることができる。
【００９５】
このように、スペーサ４６、１４６は、クラッチカバーに支持されたコーンスプリングを有する機構であれば適用可能である。
【００９６】
（７）その他の実施形態
前記実施形態は本発明の一実施例にすぎず、本発明の趣旨を逸脱しない範囲で様々な変更が可能である。例えば、前記実施形態はプッシュタイプのクラッチカバー組立体であるがプルタイプのクラッチカバー組立体にも本発明を適用できる。
【００９７】
また、前述の実施形態では第１アジャストリング９１の第１突起部９５、第２アジャストリング９２の第２突起部９８は内周側に形成されているが、これに限定されない。例えば、第１突起部、第２突起部が外周側に形成されていてもよい。この場合、第１摩耗補償機構９は、プレッシャープレート３の内周側に配置される。
【図面の簡単な説明】
【００９８】
【図１】本発明の第１実施形態に係るクラッチカバー組立体の縦断面概略図。
【図２】本発明の第１実施形態に係るクラッチカバー組立体の平面図。
【図３】本発明の第１実施形態に係るクラッチカバー組立体の縦断面概略図（図２のＡ−Ａ断面）。
【図４】本発明の第１実施形態に係るクラッチカバー組立体の縦断面概略図。
【図５】第１摩耗補償機構９の平面概略図。
【図６】第１摩耗補償機構９の側面概略図。
【図７】第１アジャストリング９１および第２アジャストリング９２の平面概略図。
【図８】第１アジャストリング９１および第２アジャストリング９２の側面概略図（内周側および外周側から見た側面概略図）。
【図９】第１アジャストリング９１および第２アジャストリング９２の断面概略図（図７のＡ−Ａ断面およびＢ−Ｂ断面）。
【図１０】第１摩耗補償機構９の動作説明図。
【図１１】押付荷重特性を説明するための図。
【図１２】低レリーズ荷重特性実現機構の合成特性を説明するための図。
【図１３】セット荷重特性において、クッショニング機能が発揮されるときに得られる負勾配特性を説明するための図。
【図１４】レリーズ荷重特性を説明するための図。
【図１５】第１摩耗補償機構の動作を説明するためのレリーズ荷重特性およびプレッシャープレートの切れ量の特性図。
【図１６】スペーサ４６およびホルダーリング４８の平面図。
【図１７】ストッパ４１の断面図および平面図。
【図１８】スペーサ４６を利用した他の実施形態の断面図。
【図１９】摩耗補償機構の例を示す図。
【符号の説明】
【００９９】
１    クラッチカバー組立体
２    クラッチカバー
２ｂ  平坦部
３    プレッシャープレート
４    ダイヤフラムスプリング
９    第１摩耗補償機構（摩耗補償機構）
９０  リターンスプリング（調整用弾性部材）
９１  第１アジャストリング
９２  第２アジャストリング
９３  第１当接部
９４ａ、９４ｂ  第１摺動部
９４ｃ、９４ｄ  第１摺動面
９５  第１突起部
９６  第２当接部
９７ａ、９７ｂ  第２摺動部
９７ａ、９７ｂ  第２摺動面
１０  低レリーズ荷重特性実現機構
１３  支持ボルト
３６  第１コーンスプリング（弾性部材）
３７  第２コーンスプリング（弾性部材）
４１  ストッパ
４６  スペーサ
４８  ホルダーリング
５１  フライホイール
５２  クラッチディスク組立体
５３  摩擦部材
【図１】
2007198435.tif 000003
【図２】
2007198435.tif 000004
【図３】
2007198435.tif 000005
【図４】
2007198435.tif 000006
【図５】
2007198435.tif 000007
【図６】
2007198435.tif 000008
【図７】
2007198435.tif 000009
【図８】
2007198435.tif 000010
【図９】
2007198435.tif 000011
【図１０】
2007198435.tif 000012
【図１１】
2007198435.tif 000013
【図１２】
2007198435.tif 000014
【図１３】
2007198435.tif 000015
【図１４】
2007198435.tif 000016
【図１５】
2007198435.tif 000017
【図１６】
2007198435.tif 000018
【図１７】
2007198435.tif 000019
【図１８】
2007198435.tif 000020
【図１９】
2007198435.tif 000021